(57)【特許請求の範囲】
【請求項１】
監視制御対象機器を監視制御する複数の子局と、これら子局と多重伝送路で接続され前
記各子局から監視データを取込み、前記各子局へ制御データを出力して前記各子局を統括
して監視制御する複数の親局と、これら親局と多重伝送路で接続され前記各親局から監視
データを取込み、制御演算して得られる制御データを前記各親局へ出力する少なくとも１
台が常用系で必要により他の待機系へ切替える複数の監視用制御計算機とからなる遠方監
視制御装置において、
前記各親局は、
前記子局と前記親局と前記監視用制御計算機とこれらに連なる多重伝送路との間の監視
制御ルートを定める監視制御ルート情報をポートモードとして子局毎に対応して記憶する
ポートモードファイルと、
前記監視用制御計算機により作成されたポートモードの切替要求があると前記監視制御
ルート情報に従って切替える一方、前記ポートモードファイルの内容を書換え、切替えら
れたポートモードを前記監視用制御計算機へ通知するポートモード切替要求処理部と、前
記子局、親局及び関連する多重伝送路の状態を監視して監視データを前記監視用制御計算
機へ通知する監視部とを備え、
異常時に、前記子局毎のポートモードにより、伝送ルートを子局単位で切替え、障害対
象の子局のみのルートを切替えて健全なルートを確保すると共に、前記ポートモードによ
り必要な子局情報のみを監視用制御計算機へ送信するようにしたことを特徴とする遠方監
視制御装置。
【請求項２】
監視制御対象機器を監視制御する複数の子局と、これら子局と多重伝送路で接続され前
記各子局から監視データを取込み、前記各子局へ制御データを出力して前記各子局を統括
して監視制御する複数の親局と、これら親局と多重伝送路で接続され前記各親局から監視
データを取込み、制御演算して得られる制御データを前記各親局へ出力する少なくとも１
台が常用系で必要により他の待機系へ切替えられる複数の監視用制御計算機とからなる遠
方監視制御装置において、
前記各親局は、前記子局と前記親局と前記監視用制御計算機とこれらに連なる多重伝送
路との間の監視制御ルートを定める監視制御ルート情報をポートモードとして子局毎に対
応して記憶するポートモードファイルと、
前記子局、親局及び関連する多重伝送路の状態を監視して監視データを通知する監視部
と、この監視部により通知される監視データに基づいて前記監視制御ルート情報の切替条
件を作成するポートモード切替条件作成部と、
このポートモード切替条件作成部により作成された切替条件に従ったポートモードの切
替要求があると前記監視制御ルートを切替える一方、前記ポートモードファイルの内容を
書換えるポートモード切替要求処理部とを備え、
異常時に、前記子局毎のポートモードにより、伝送ルートを子局単位で切替え、障害対
象の子局のみのルートを切替えて健全なルートを確保すると共に、前記ポートモードによ
り必要な子局情報のみを監視用制御計算機へ送信するようにしたことを特徴とする遠方監
視制御装置。
【請求項３】
前記各親局の監視部は、各子局の状態情報、各子局からの使用系のみならず不使用系の
ハローコールを受信して伝送路の状態の障害を検知して通知することを特徴とする請求項
１または請求項２記載の遠方監視制御装置。
【請求項４】
前記ポートモード切替条件作成部は、前記監視部により通知があったとき、健全系の親
局、あるいは、伝送路へデータが伝送されるように切替える条件を作成すると共に、各親
局の負荷状態の履歴を保存し、負荷状態の予測に基づいて各親局の負荷が一定となるよう
に切替える条件を作成することを特徴とする請求項２記載の遠方監視制御装置。
【請求項５】
前記ポートモード切替条件作成部は、前記監視用制御計算機の状態に応じて各親局のポ
ートモード状態の切替条件を作成することを特徴とする請求項２記載の遠方監視制御装置
。
【請求項６】
回線切替装置により伝送路を切替える親局については、前記監視部による通知により健
全系の伝送路へ切替えると共に、切替え結果を監視用制御計算機へ通知することを特徴と
する請求項１または請求項２記載の遠方監視制御装置。
【発明の詳細な説明】
【０００１】
【発明の属する技術分野】
本発明は、遠方の監視制御対象機器を遠方監視制御装置を用いて監視制御する場合において、親局あるいは子局あるいは伝送路上で障害発生時に健全な監視制御ルートを確保する機能を有する遠方監視制御装置に関する。
【０００２】
【従来の技術】
従来の遠方監視制御装置（ＴＣ）においては、監視用制御計算機（ホストＣＰＵ）、親局（ＴＣＭ）及び子局（ＴＣＲ）でそれぞれ運転モードを管理しており、監視用制御計算機（ホストＣＰＵ）、親局（ＴＣＭ）はそれぞれ装置毎に通常モード、待機モード、試験モード、停止モードのいずれかのモード状態となることにより監視制御データの監視制御ルートの制御を行っている。子局（ＴＣＲ）は平常状態、試験状態の状態管理を行っている。
【０００３】
図１３は、上記する遠方監視制御装置の一般的な系統図である。
【０００４】
図において、常用系として監視用制御計算機（ホストＣＰＵ（Ａ））１と、待機系として監視用制御計算機（ホストＣＰＵ（Ｂ））２とが配置され、これらの監視用制御計算機（ホストＣＰＵ（Ａ））１と監視用制御計算機（ホストＣＰＵ（Ｂ））２とに二重系からなる１系ＬＡＮ１４Ａと２系ＬＡＮ１４Ｂが親局（ＴＣＭ（Ａ））３と親局（ＴＣＭ（Ｂ））４とへ接続されている。そして、親局（ＴＣＭ（Ａ））３から伝送路１６Ａを介して子局（ＴＣＲ（１））５へ接続する一方、伝送路１６Ｂを介して子局（ＴＣＲ（２））６へ接続している。
【０００５】
また、親局（ＴＣＭ（Ｂ））４からは伝送路１６Ｃを介して子局（ＴＣＲ（１））５へ接続する一方、伝送路１６Ｄを介して子局（ＴＣＲ（２））６へ接続している。
【０００６】
一方、図１３右側に示す親局（ＴＣＭ（Ａ））１５及び親局（ＴＣＭ（Ｂ））１７が１系ＬＡＮ１４Ａと２系ＬＡＮ１４Ｂを介して監視用制御計算機（ホストＣＰＵ（Ａ））１と監視用制御計算機（ホストＣＰＵ（Ｂ））２とに接続している。さらに、親局（ＴＣＭ（Ａ））１５と親局（ＴＣＭ（Ｂ））１７の各送信側（Ｓ）１５Ａと送信側（Ｓ）１７Ａとは、それぞれ伝送路１８Ｃ、伝送路１８Ｄを介して系統路分岐装置（ＣＣＳ１）８へ接続している。
【０００７】
また、親局（ＴＣＭ（Ａ））１５と親局（ＴＣＭ（Ｂ））１７の各受信側（Ｒ）１５Ｂと受信側（Ｒ）１７Ｂとは、それぞれ伝送路１８Ａと伝送路１８Ｂとを介して系統路分岐装置（ＣＣＳ２）９へ接続し、系統路分岐装置（ＣＣＳ１）８には、伝送路１８Ｃと伝送路１８Ｄを切替えるハイブリッド（Ｈ）１１を有し、伝送路２２と伝送路２３とが系統路分岐装置（ＣＣＳ２）９へ接続しており、系統路分岐装置（ＣＣＳ２）９では、ハイブリッド（Ｈ）１３を有して、子局（ＴＣＲ（３））７の送信側（Ｓ）７Ａに接続する一方、切換器１２を介して受信側（Ｒ）７Ｂへ接続している。
【０００８】
子局（ＴＣＲ（１））５、子局（ＴＣＲ（２））６、子局（ＴＣＲ（３））７はそれぞれ電力設備１９へ接続している。
【０００９】
まず、図１３の構成で、子局（ＴＣＲ（１））５、子局（ＴＣＲ（２））６のルートで、遠方監視制御装置のシステム上に障害が発生したときの健全系の確保方法について説明する。
【００１０】
正常時の監視制御ルートは、常用系の監視用制御計算機（ホストＣＰＵ（Ａ））１から１系ＬＡＮ１４Ａ、２系ＬＡＮ１４Ｂ、常用系の親局（ＴＣＭ（Ａ））３及び伝送路１６Ａを経由して平常状態の子局（ＴＣＲ（１））５を監視制御するルートを形成している。また、子局（ＴＣＲ（２））６向けの監視制御ルートは、監視用制御計算機（ホストＣＰＵ（Ａ））１から１系ＬＡＮ１４Ａ、２系ＬＡＮ１４Ｂ、常用系親局（ＴＣＭ（Ａ））３及び伝送路１６Ｂを経由して平常状態の子局（ＴＣＲ（２））６としている。
【００１１】
このような状態で、伝送路１６Ａで図１４のように、図示×印の障害が発生した場合、親局（ＴＣＭ（Ａ））３及び子局（ＴＣＲ（１））５にて相手装置不応答、あるいは伝送路レベル低下により検出される。親局（ＴＣＭ（Ａ））３で検出した障害情報が１系ＬＡＮ１４Ａ及び２系ＬＡＮ１４Ｂを経由して監視用制御計算機（ホストＣＰＵ（Ａ））１と監視用制御計算機（ホストＣＰＵ（Ｂ））２へ通知される。
【００１２】
また、子局（ＴＣＲ（１））５で検出された伝送路１６Ａの故障情報が伝送路１６Ｃ、親局（ＴＣＭ（Ｂ））４、１系ＬＡＮ１４Ａ、２系ＬＡＮ１４Ｂを経由して監視用制御計算機（ホストＣＰＵ（Ａ））１と監視用制御計算機（ホストＣＰＵ（Ｂ））２へ通知される。この障害情報により監視用制御計算機（ホストＣＰＵ（Ａ））１及び監視用制御計算機（ホストＣＰＵ（Ｂ））２にて親局（ＴＣＭ（Ａ））３経由で子局（ＴＣＲ（１））５を監視制御することが不可能なことを検出する。この結果、図１４に示すように、子局（ＴＣＲ（１））５のモード状態を常用系から停止系へ切替え、親局（ＴＣＭ（Ａ））３のモード状態を待機系から常用系へ切替える。
【００１３】
このように、前記障害が発生した場合、親局（ＴＣＭ（Ａ））３、常用系の監視用制御計算機（ホストＣＰＵ（Ａ））１から１系ＬＡＮ１４Ａ、２系ＬＡＮ１４Ｂ、常用系の親局（ＴＣＭ（Ｂ））４及び伝送路１６Ｃを経由して平常状態の子局（ＴＣＲ（１））５を監視制御するルートとする。また、子局（ＴＣＲ（２））６向けは、常用系の監視用制御計算機（ホストＣＰＵ（Ａ））１から１系ＬＡＮ１４Ａ、２系ＬＡＮ１４Ｂ、常用系の親局（ＴＣＭ（Ｂ））４及び伝送路１６Ｄを経由して平常状態の子局（ＴＣＲ（２））６を監視制御するルートとなり、健全な監視制御ルートを確保することができる。
【００１４】
次に、図１３の状態で子局（ＴＣＲ（３））７向けについて、システム上に障害が発生したときの健全系の確保方法について説明する。
【００１５】
正常時の監視制御ルートは、常用系の監視用制御計算機（ホストＣＰＵ（Ａ））１から１系ＬＡＮ１４Ａ、２系ＬＡＮ１４Ｂ、常用系の親局（ＴＣＭ（Ａ））１５及び伝送路２２を経由して平常状態の子局（ＴＣＲ（３））７を監視制御するルートとなる。
【００１６】
ここで、伝送路１８Ａで障害が発生した場合を考えると、図１４に示すように伝送路１８Ａで発生した障害（図示×印）が親局（ＴＣＭ（Ａ））１５及び子局（ＴＣＲ（３））７にて検出される。そして、親局（ＴＣＭ（Ａ））１５で検出した障害情報が１系ＬＡＮ１４Ａ及び２系ＬＡＮ１４Ｂを経由して監視用制御計算機（ホストＣＰＵ（Ａ））１及び監視用制御計算機（ホストＣＰＵ（Ｂ））２へ通知される。
【００１７】
この場合、子局（ＴＣＲ（３））７で検出された障害情報は上位装置に通知することは不可能である。この障害情報は監視用制御計算機（ホストＣＰＵ（Ａ））１にて親局（ＴＣＭ（Ａ））１５経由で子局（ＴＣＲ（３））７を監視制御することが不可能なことを検出する。このため、親局（ＴＣＭ（Ａ））１５のモード状態を常用系から停止系に、親局（ＴＣＭ（Ｂ））１７のモード状態を待機系から常用系にそれぞれ切替え要求を送信し、親局（ＴＣＭ（Ａ））１５と子局（ＴＣＲ（３））７にて切替え要求に従ってモードの切替えを実施する。
【００１８】
上記処理により、伝送路１８Ａで障害が発生した場合の子局（ＴＣＲ（３））７向けの監視制御ルートは、常用系の監視用制御計算機（ホストＣＰＵ（Ａ））１から１系ＬＡＮ１４Ａ、２系ＬＡＮ１４Ｂ、常用系の親局（ＴＣＭ（Ｂ））１７及び伝送路２３を経由して平常状態の子局（ＴＣＲ（３））７を監視制御するルートとなり、健全な監視制御ルートを確保することができる。
【００１９】
【発明が解決しようとする課題】
ところで、図１４のように既に伝送路１６Ａと伝送路１８Ａに障害があるとき、伝送路１６Ｄに障害（図示××）が発生した場合を考える。伝送路１６Ｄに障害が発生した場合、常用系の親局（ＴＣＭ（Ｂ））４から子局（ＴＣＲ（２））６に対して監視制御を実施することが不可能となる。また、停止系の親局（ＴＣＭ（Ａ））３を常用系とした場合も伝送路１６Ａが障害があり常用系の親局（ＴＣＭ（Ａ））３から子局（ＴＣＲ（１））５に対して監視制御を実施することが不可能となる。この場合、伝送路１６Ｂ及び伝送路１６Ｃが健全であるにもかかわらず正常な監視制御が不可能となりシステムの信頼性上、大きな懸案要因となっていた。
【００２０】
また、ＬＡＮ上の伝送データは、１系ＬＡＮ１４Ａと２系ＬＡＮ１４Ｂの両方に伝送されており、かかる、オープン分散システムにおいては、ＬＡＮ上の伝送負荷及び各ＬＡＮ上装置の負荷を増大させる要因となっていた。
【００２１】
また、システム上に障害発生時、関連する全ての子局（ＴＣＲ）の監視制御ルートを切替える必要があり、障害発生時のシステム上の負荷が非常に高くなると共に、切替え時間がかかるという問題があった。
【００２２】
また、親局（ＴＣＭ）のモードの管理を監視用制御計算機（ホストＣＰＵ）で実施しているため、監視用制御計算機（ホストＣＰＵ）が両系ダウンしたような場合はモードの管理を行うことができなくなり電力系統設備の監視制御が全くできなくなってしまいシステムの信頼性上、大きな懸案要因となっていた。
【００２３】
また、図１３において、ハイブリッド（Ｈ）１１及びハイブリッド（Ｈ）１３で分岐した伝送路１８Ａ及び伝送路１８Ｂの監視を使用系しか行っておらず、不使用系の伝送路状態は系統路分岐装置（ＣＣＳ１）８を切替えて使用してみないと状態が判らずシステムの障害監視上、大きな懸案要因となっていた。
【００２４】
また、親局（ＴＣＭ）は常用系の親局（ＴＣＭ）のみが処理を行うこととなり、親局（ＴＣＭ）の負荷が片寄ってしまうという問題があった。
【００２５】
また、親局（ＴＣＭ）のモード管理を監視用制御計算機（ホストＣＰＵ）で行っていたため、迅速な親局（ＴＣＭ）のモード切替えが不可能であった。
【００２６】
そこで、本発明は、システム上の異常時に健全監視制御ルートを確実に確保すると共に、システム全体の負荷軽減を図る遠方監視制御装置を提供することを目的とする。
【００２７】
【課題を解決するための手段】
請求項１に係わる発明は、監視制御対象機器を監視制御する複数の子局と、これら子局と多重伝送路で接続され前記各子局から監視データを取込み、前記各子局へ制御データを出力して前記各子局を統括して監視制御する複数の親局と、これら親局と多重伝送路で接続され前記各親局から監視データを取込み、制御演算して得られる制御データを前記各親局へ出力する少なくとも１台が常用系で必要により他の待機系へ切替える複数の監視用制御計算機とからなる遠方監視制御装置において、前記各親局は、前記子局と前記親局と前記監視用制御計算機とこれらに連なる多重伝送路との間の監視制御ルートを定める監視制御ルート情報をポートモードとして子局毎に対応して記憶するポートモードファイルと、
前記監視用制御計算機により作成されたポートモードの切替要求があると前記監視制御ルート情報に従って切替える一方、前記ポートモードファイルの内容を書換え、切替えられたポートモードを前記監視用制御計算機へ通知するポートモード切替要求処理部と、前記子局、親局及び関連する多重伝送路の状態を監視して監視データを前記監視用制御計算機へ通知する監視部とを備え、異常時に、前記子局毎のポートモードにより、伝送ルートを子局単位で切替え、障害対象の子局のみのルートを切替えて健全なルートを確保すると共に、前記ポートモードにより必要な子局情報のみを監視用制御計算機へ送信するようにしたことを特徴とする。
【００２８】
請求項２に係る発明は、監視制御対象機器を監視制御する複数の子局と、これら子局と多重伝送路で接続され前記各子局から監視データを取込み、前記各子局へ制御データを出力して前記各子局を統括して監視制御する複数の親局と、これら親局と多重伝送路で接続され前記各親局から監視データを取込み、制御演算して得られる制御データを前記各親局へ出力する少なくとも１台が常用系で必要により他の待機系へ切替えられる複数の監視用制御計算機とからなる遠方監視制御装置において、前記各親局は、前記子局と前記親局と前記監視用制御計算機とこれらに連なる多重伝送路との間の監視制御ルートを定める監視制御ルート情報をポートモードとして子局毎に対応して記憶するポートモードファイルと、前記子局、親局及び関連する多重伝送路の状態を監視して監視データを通知する監視部と、この監視部により通知される監視データに基づいて前記監視制御ルート情報の切替条件を作成するポートモード切替条件作成部と、このポートモード切替条件作成部により作成された切替条件に従ったポートモードの切替要求があると前記監視制御ルートを切替える一方、前記ポートモードファイルの内容を書換えるポートモード切替要求処理部とを備え、異常時に、前記子局毎のポートモードにより、伝送ルートを子局単位で切替え、障害対象の子局のみのルートを切替えて健全なルートを確保すると共に、前記ポートモードにより必要な子局情報のみを監視用制御計算機へ送信するようにしたことを特徴とする。
【００２９】
請求項３の発明は、請求項１または請求項２記載の遠方監視制御装置において、各親局の監視部は、各子局の状態情報、各子局からの使用系のみならず不使用系のハローコールを受信して伝送路の状態の障害を検知して通知するようにしたものである。この手段によれば、各子局からの不使用系の伝送路のハローコールを含めて受信して全ての伝送路の状態を監視しているので、回線切替装置を有するハイブリッドで分岐した伝送路の障害も確実に把握することができる。従って、従来、使用系しか監視していないために生ずる不使用系を使用系へ切替えて初めて障害の伝送路であると判るという不祥事を阻止できる。
【００３０】
請求項４の発明は、請求項２記載の遠方監視制御装置において、ポートモード切替条件作成部は、監視部により通知があったとき、健全系の親局、あるいは、伝送路へデータが伝送されるように切替える条件を作成すると共に、各親局の負荷状態の履歴を保存し、負荷状態の予測に基づいて各親局の負荷が一定となるように切替える条件を作成するようにしたものである。この手段によれば、各親局の負荷状態の履歴を保存し、負荷予測ができるので、各親局の負荷が一定となるようにポートモードを切替えることができる。また、監視データに基づいてポートモードの切替えができる。
【００３１】
請求項５の発明は、請求項２記載の遠方監視制御装置において、ポートモード切替条件作成部は、監視用制御計算機の状態に応じて各親局のポートモード状態の切替条件を作成するようにしたものである。この手段によれば、親局の管理によってポートモードの切替えができ、従来のＣＰＵモードによる切替えに比べ迅速な処理が行える。
【００３２】
請求項６の発明は、請求項１または請求項２記載の遠方監視制御装置において、回線切替装置により伝送路を切替える親局については、監視部による通知により健全系の伝送路へ切替えると共に、切替え結果を監視用制御計算機へ通知するようにしたものである。この手段によれば、１台の親局に対して、回線切替装置付きの子局と回線切替装置のない子局を接続して監視制御をすることができる。
【００３３】
【発明の実施の形態】
以下、本発明の実施の形態について図面を参照して説明する。
【００３４】
図１は、本発明の第１実施の形態を示す遠方監視制御装置の系統図であって、図１において、図１３と同一符号は、同一部分または相当部分を示している。
【００３５】
図１において、図１３と異なる主な点は、親局を（ＴＣＭ（Ａ））３、１５と（ＴＣＭ（Ｂ））４、１７の４つを、親局（ＴＣＭ（Ａ））２０と（ＴＣＭ（Ｂ））２１の２つに統合したことである。
【００３６】
親局（ＴＣＭ（Ａ））２０は、図２に示すように、ポートモード切替要求処理部２０ａとポートモードファイル２０ｂと伝送路状態監視部２０ｃとＬＡＮ伝送部２０ｄとＴＣＲ向け伝送部２０ｅとポートモード切り替え条件ファイル群２０ｈと子局制御データ処理部２０ｉと子局監視データ処理部２０ｊとから構成されている。
【００３７】
ここで、ポートモード切替要求処理部２０ａは、監視用制御計算機（ホストＣＰＵ）により作成されたポートモードの切替要求があると監視制御ルートを切替える一方、ポートモードファイル２０ｂの内容を書換え、切替えられたポートモード状態を監視用制御計算機（ホストＣＰＵ（Ａ））１へ通知するものである。ポートモードファイル２０ｂは、子局（ＴＣＲ）毎に監視制御ルート情報を保存するものである。伝送路状態監視部２０ｃは、子局、親局及び関連する多重伝送路の状態を監視して監視データを監視用制御計算機（ホストＣＰＵ（Ａ））１へ通知するものである。ポートモード切り替え条件ファイル群２０ｈは、ポートモード切替えるために必要な条件データを記憶するものである。子局制御データ処理部２０ｉは、ＬＡＮ伝送部２０ｄから子局制御データであるＴＣＭ・ＴＣＲ信号ｂ１を入力して信号ｂ２をＴＣＲ向け伝送部２０ｅを介して子局（ＴＣＲ）へ出力するものである。子局監視データ処理部２０ｊは、ＴＣＲ向け伝送部２０ｅから子局監視データであるＴＣＲ・ＴＣＭ信号ａ１を入力して信号ａ２をＬＡＮ伝送部２０ｄへ出力するものである。
【００３８】
ポートモードファイル２０ｂは、図３に示すように、例えば、親局（ＴＣＭ（Ａ））２０内に子局（ＴＣＲ（１））５に対するポートモード保存エリア２５とポートモード保存エリア２６を有し、親局（ＴＣＭ（Ｂ））２１内に子局（ＴＣＲ（１））５に対するポートモード保存エリア２７とポートモード保存エリア２８を有している。従って、子局（ＴＣＲ）をｎ局実装しているシステムにおいては、各親局（ＴＣＭ）内のポートモード保存エリアには２×ｎ個必要となる。
【００３９】
ポートモード保存エリア２５は親局（ＴＣＭ（Ａ））２０で管理する１系ＬＡＮ１４Ａ向けのポートモードを保存するエリアであり、ポートモード保存エリア２６は親局（ＴＣＭ（Ａ））２０で管理する２系ＬＡＮ１４Ｂ向けのポートモードを保有するエリアである。また、同様にポートモード保存エリア２７は親局（ＴＣＭ（Ｂ））２１で管理する１系ＬＡＮ向けのポートモードを保存するエリアであり、ポートモード保存エリア２８は親局（ＴＣＭ（Ｂ））２１で管理する２系ＬＡＮ向けのポートモードを保存するエリアである。
【００４０】
図３において、図示するポートＡ１及びポートＢ１は上位ポートと呼ばれ、これにより監視用制御計算機（ホストＣＰＵ）へ伝送する子局（ＴＣＲ）の伝送情報の制御と監視用制御計算機（ホストＣＰＵ）から親局（ＴＣＭ）に伝送する情報の制御を実施する。ポートＡ１は１系ＬＡＮ１４Ａ経由で監視用制御計算機（ホストＣＰＵ（Ａ））１向けデータの制御に使用し、ポートＢ１は１系ＬＡＮ１４Ａ経由監視用制御計算機（ホストＣＰＵ（Ｂ））２向けデータの制御に使用する。
【００４１】
上位ポートモードには、オンライン（ＯＮ）、スタンバイ１（ＳＴ１）、スタンバイ２（ＳＴ２）オンライン（ＯＦＦ）の４つのモードの何れかが設定される。オンラインモード時は基本的に全て情報の送／受信を行う。スタンバイ１モード時は基本的に全ての情報を受信し、送信は行わない。スタンバイ２モード時は基本的にデータの受信は行わず、全ての送信情報を送信する。オフラインモード時はデータ送／受信を行わない。
【００４２】
編集モードには子局（ＴＣＲ）から通知されたＴＣＲ編集モードが設定される。設定されるモードは平常状態、あるいは試験状態である。ルートには子局（ＴＣＲ）の使用回線、伝送路、あるいは自動が設定される。自動の場合は上位ポートモードがオンラインとなっている伝送路が使用系となる。
【００４３】
上記構成で、システムの正常時のポートモードは、図４に示すように、子局（ＴＣＲ（１））５のポートモード保存エリア６０は、図示６０ａのポートＡ１がオンラインモードとなる。すなわち、１系ＬＡＮ１４Ａを用いて監視用制御計算機（ホストＣＰＵ（Ａ））１から監視制御を実施することが可能となる。また、図示６０ｂのポートＢ１がスタンバイ２モードとなる。すなわち、１系ＬＡＮ１４Ａを用いて監視用制御計算機（ホストＣＰＵ（Ｂ））２から監視を実施することが可能となる。
【００４４】
監視制御ルートは、図において、監視用制御計算機（ホストＣＰＵ（Ａ））１から１系ＬＡＮ１４Ａ、親局（ＴＣＭ（Ａ））２０及び伝送路１６Ａを経由して子局（ＴＣＲ（１））５を監視制御ルートとする。さらに、監視用制御計算機（ホストＣＰＵ（Ｂ））２から１系ＬＡＮ１４Ａ、親局（ＴＣＭ（Ａ））２０及び伝送路１６Ａを経由して子局（ＴＣＲ（１））５を監視するルートをそれぞれ確保することができる。
【００４５】
ここで、図１に示す伝送路１６Ａで障害が発生したときのポートモードは、図５に示すように、子局（ＴＣＲ（１））５のポートモード保存エリア６０（図示６０ｃ）はポートＡ２がオンラインモード（ＯＮ）となり、２系ＬＡＮ１４Ｂを用いて監視用制御計算機（ホストＣＰＵ（Ａ））１から監視制御を実施することが可能となる。また、ポートＢ２がスタンバイ２モード（図示６０ｄ）となる。すなわち、２系ＬＡＮ１４Ｂを用いて監視用制御計算機（ホストＣＰＵ（Ｂ））２から監視を実施することが可能となる。監視制御ルートは、図１において、監視用制御計算機（ホストＣＰＵ（Ａ））１から２系ＬＡＮ１４Ｂ、親局（ＴＣＭ（Ｂ））２１及び伝送路１６Ｃを経由して子局（ＴＣＲ（１））５を監視制御するルートとし、監視用制御計算機（ホストＣＰＵ（Ｂ））２から２系ＬＡＮ１４Ｂ、親局（ＴＣＭ（Ｂ））２１及び伝送路１６Ｃを経由して子局（ＴＣＲ（１））５を監視するルートをそれぞれ確保して、子局（ＴＣＲ（１））５向けの健全な監視制御ルートを確保することができる。また、このとき、子局（ＴＣＲ（１））５のポートモード保存エリア６１と子局（ＴＣＲ（３））７のポートモード保存エリア６２の状態は変化しない。また、障害復帰時のポートモードの切替えは人間系の操作により行い、障害発生復帰が繰り返した場合に連続したポートモード状態の切替えが発生しないようにする。
【００４６】
上記手段によって、必要なＴＣＲ情報のみを監視用制御計算機（ホストＣＰＵ）に送信することが可能となるため、ＬＡＮ上の伝送負荷、監視用制御計算機（ホストＣＰＵ）の負荷及び親局（ＴＣＭ）の負荷を軽減することができる。また、ポートモードによって監視制御を行うルートを子局（ＴＣＲ）単位に切替えられるため、全ての監視制御ルートに障害が発生したとき以外は健全系を確保することが可能となる。また、システム上に障害が発生したときの監視制御ルートの切替えが障害に関係する子局（ＴＣＲ）の切替えのみとなるため、健全ルート確保のためのシステム上の負荷を削減すると共に、迅速に健全ルートを確保することが可能となる。
【００４７】
次に、本発明の第２実施の形態を説明する。
【００４８】
図６は、親局２０Ａの詳細構成図であって、第２実施の形態は、ポートモード切替要求処理部２０ｆとポートモードファイル２０ｂと伝送路状態監視部２０ｃとポートモード切替条件作成部２０ｇとＬＡＮ伝送部２０ｄとＴＣＲ向け伝送部２０ｅと子局制御データ処理部２０ｉと子局監視データ処理部２０ｊから構成されている。
【００４９】
ここで、ポートモード切替要求処理部２０ｆは、ポートモード切替条件作成部２０ｆにより作成された切替条件に従ったポートモードの切替要求があると監視制御ルートを切替える一方、ポートモードファイル２０ｂの内容を書換えるものである。ポートモードファイル２０ｂは、子局と親局と監視用制御計算機とこれらに連なる多重伝送路との間の監視制御ルートを定める監視制御ルート情報をポートモードとして子局毎に対応して記憶するものである。伝送路状態監視部２０ｃは、子局、親局及び関連する多重伝送路の状態を監視して監視データを通知するものである。ポートモード切替条件作成部２０ｇは、伝送路状態監視部２０ｃにより通知される監視データに基づいて監視制御ルート情報の切替条件を作成するものである。ポートモード切り替え条件ファイル群２０ｈは、ポートモード切替えるために必要な条件データを記憶するものである。子局制御データ処理部２０ｉは、ＬＡＮ伝送部２０ｄから子局制御データであるＴＣＭ・ＴＣＲ信号ｂ１を入力して信号ｂ２をＴＣＲ向け伝送部２０ｅを介して子局（ＴＣＲ）へ出力するものである。子局監視データ処理部２０ｊは、ＴＣＲ向け伝送部２０ｅから子局監視データであるＴＣＲ・ＴＣＭ信号ａ１を入力して信号ａ２をＬＡＮ伝送部２０ｄへ出力するものである。
【００５０】
この構成によって、必要なＴＣＲ情報のみを監視用制御計算機（ホストＣＰＵ）に送信することが可能となるため、ＬＡＮ上の伝送負荷、監視用制御計算機（ホストＣＰＵ）の負荷及び親局（ＴＣＭ）の負荷を軽減することができる。また、ポートモードによって監視制御を行うルートを子局（ＴＣＲ）単位に切替えられるため、全ての監視制御ルートに障害が発生したとき以外は健全系を確保することが可能となる。また、システム上に障害が発生したときの監視制御ルートの切替えが障害に関係する子局（ＴＣＲ）の切替えのみとなるため、健全ルート確保のためのシステム上の負荷を削減すると共に、迅速に健全ルートを確保することが可能となる。また、仮に両系監視用制御計算機（ホストＣＰＵ）がダウンしたときでも子局（ＴＣＲ）でポートモード管理を行っているため系統監視盤２４にて電力系統設備の監視を行うことができる。
【００５１】
次に、本発明の第３実施の形態を説明する。
【００５２】
図７は、親局（ＴＣＭ（Ａ））２０Ｂの具体的構成例を示し、送信有効データチェック手段３６は、上位ポートモードの状態と送信データのチェックを行い必要なデータのみホストＣＰＵ向けに送信する。ホストＣＰＵからのポートモード切替要求は、ポートモード切替要求手段３７でＬＡＮ伝送部３５から取り込まれたポートモード切替要求情報に従ってポートモードを作成しポートモードファイル４０に保存する。ポートモードに切替えが発生した場合は、ポートモード通知手段３９にて現在のポートモード状態をホストＣＰＵに通知する。
【００５３】
伝送路１６Ａ、伝送路１６Ｂ、伝送路１８Ａ、伝送路１８Ｃ、伝送路２２及び伝送路２３の監視は、子局（ＴＣＲ）からハローコールと呼ばれる診断情報をＴＣＲ向け伝送部５２から受信し、障害監視手段５０にて伝送路障害を検出し、この情報を障害情報ファイル４８に保存する。また、ハイブリッド（Ｈ）１３にて分岐した伝送路１８Ｂの障害監視は、伝送路２２上の伝送データを親局（ＴＣＭ（Ｂ））２１にて傍受し、この情報を障害監視手段５０にて伝送路障害を検出し、この情報を障害情報ファイル４８に保存する。これによって、ハイブリッドにて分岐した伝送路の状態を監視し、この障害情報をポートモード切替条件ファイル４１に反映できるため、システム上必要な障害情報を得ることができる。なお、子局制御データ処理手段５７は、ＬＡＮ伝送部３５から子局制御データであるＴＣＭ・ＴＣＲ信号を入力して信号をＴＣＲ向け伝送部５２を介して子局（ＴＣＲ）へ出力するものである。子局監視データ処理部５８は、ＴＣＲ向け伝送部５２から子局監視データであるＴＣＲ・ＴＣＭ信号を入力して信号をＬＡＮ伝送部３５へ出力するものである。
【００５４】
ポートモード切替手段３８は、負荷予測データファイル４２及び障害情報ファイル４８の条件からポートモード切替条件作成手段４３にてポートモード切替条件ファイル４１を作成し、ポートモード切替条件ファイル４１の条件からポートモード切替手段３８によってポートモード切替え、切替えたポートモードをポートモードファイル４０に格納する。
【００５５】
ポートモード切替条件作成手段４３は、図８に示す処理を行い、まず、ホストＣＰＵモード情報監視手段５３にてホストＣＰＵモード情報を監視し、ホストＣＰＵモード状態をホストＣＰＵモード情報ファイル５４に格納する（ＳＴ１）。このホストＣＰＵモード情報ファイル５４とポートモード条件作成テーブル５５からポートモード切替条件を作成し、作成したポートモード切替条件をポートモード切替条件ファイル４１に格納する（ＳＴ３〜ＳＴ６）。ポートモード切替条件ファイル４１の条件によりポートモード切替手段３８でポートモードの切替えを実施する。
【００５６】
ＳＴ３〜ＳＴ６を実装ＴＣＲ数回実施することにより、ＣＰＵモードによりポートモード切替条件を作成する（ＳＴ２）。
【００５７】
これによって、従来のシステムではＣＰＵで行っていたＣＰＵモードによる親局（ＴＣＭ）のモード管理を親局（ＴＣＭ）で行えるようになるため、迅速にポートモードの切替えを実施することが可能となる。
【００５８】
また、ポートモード切替条件作成手段４３は、障害情報及び負荷予測データによるポートモード切替条件作成の場合、図９に示す処理を行い、ＳＴ１１で負荷予測データファイル４２及び障害情報ファイル４８を入力し、ＳＴ１３〜ＳＴ１４で障害発生時のポートモード切替条件を作成し、ＳＴ１５〜ＳＴ１７で負荷予測データによるポートモード切替条件を作成する。そして、ＳＴ１８，ＳＴ１９で作成したポートモード切替条件をポートモード切替条件ファイル４１に格納する。上記ＳＴ１３〜ＳＴ１９を実装ＴＣＲ数分ループすることによりポートモード切替条件を作成する。
【００５９】
これによって、各ＴＣＭの負荷状態が一定となるようにポートモードの切替えを実施することができる。
【００６０】
また、負荷状態履歴データ作成手段４９によって負荷状態履歴データを作成し、これを負荷状態履歴データファイル４７に格納する。負荷予測データ作成手段４４は、図１０に示す処理を行い、ＳＴ２１で図１１に示す負荷状態履歴データファイル４７を入力し、ＳＴ２３で負荷予測データ（ΣΔｔ時間の処理データ数）／（ΣΔｔ）を計算し、ＳＴ２４で作成した負荷予測データを負荷予測データファイル４２に格納する。ＳＴ２３〜ＳＴ２４を実装ＴＣＲ数分行うことで負荷状態予測を行う。これによって、各親局（ＴＣＭ）の負荷状態が一定となるようにポートモードの切替えを実施することができる。
【００６１】
また、ＣＣＳ切替手段５１は、図１２に示す処理を行い、ＳＴ３２でポートモードファイル４０を入力し、ＳＴ３３〜ＳＴ３７でポートモードの状態からＣＣＳの切替条件を作成し、ＣＣＳ切替信号を出力する。ＳＴ３３〜ＳＴ３７を実装ＴＣＲ数分ループすることによりＣＣＳ付きの子局（ＴＣＲ）のＣＣＳ切替をする。
【００６２】
これによって、１台の親局（ＴＣＭ）にＣＣＳなしの子局（ＴＣＲ）とＣＣＳ付きの子局（ＴＣＲ）を接続することができる。ＣＣＳ付きの子局（ＴＣＲ）とＣＣＳなしの子局（ＴＣＲ）が混在するようなシステムに於いて、親局（ＴＣＭ）を子局（ＴＣＲ）のタイプ別に分ける必要が無くなり、製造コストの削減を実現することができると共に、設置スペースを小さくすることができる。
【００６３】
【発明の効果】
以上説明したように本願発明によれば、各親局に子局毎のポ−トモードをポートファイルとして保存し、そのポートモードにより伝送ルートが子局単位で切替えられるので、全ての子局のルートを切替えないで障害対象の子局のみのルートを切替えて健全なルートを確保できる。かつ、このポートモードにより、必要な子局情報のみを監視用制御計算機へ送信するので、ＬＡＮ上の伝送負荷と監視用制御計算機と親局の負荷を軽減できる。
【図面の簡単な説明】
【図１】本発明の第１実施の形態を示す遠方監視制御装置の系統図である。
【図２】図１の遠方監視制御装置に備える親局の構成図である。
【図３】ポートモードファイルの構成図である。
【図４】ポートモードファイルに保存されるポートモードの作用を示す第１説明図である。
【図５】ポートモードファイルに保存されるポートモードの作用を示す第２説明図である。
【図６】本発明の第２実施の形態を示す親局の構成図である。
【図７】本発明の第３実施の形態を示す親局の構成図である。
【図８】図７の親局に備えるポートモード切替条件作成手段の処理を示す第１フローチャートである。
【図９】図７の親局に備えるポートモード切替条件作成手段の処理を示す第２フローチャートである。
【図１０】図７の親局に備える負荷予測データ作成手段の処理を示すフローチャートである。
【図１１】図７の親局に備える負荷状態履歴データファイルの構成図である。
【図１２】図７の親局に備えるＣＣＳ切替手段の処理を示すフローチャートである。
【図１３】従来の遠方監視制御装置の系統図である。
【図１４】図１３の遠方監視制御装置上で障害が発生したときの作用を示す説明図である。
【符号の説明】
１  監視用制御計算機（ホストＣＰＵ（Ａ））
２  監視用制御計算機（ホストＣＰＵ（Ｂ））
３  親局（ＴＣＭ（Ａ））
４  親局（ＴＣＭ（Ｂ））
５  子局（ＴＣＲ（１））
６  子局（ＴＣＲ（２））
７  子局（ＴＣＲ（３））
８  系統路分岐装置（ＣＣＳ１）
９  系統路分岐装置（ＣＣＳ２）
１４Ａ  １系ＬＡＮ
１４Ｂ  ２系ＬＡＮ
１５  親局（ＴＣＭ（Ａ））
１７  親局（ＴＣＭ（Ｂ））
１９  電力設備
２０  親局（ＴＣＭ（Ａ））
２０ａ  ポートモード切替要求処理部
２０ｂ  ポートモードファイル
２０ｃ  監視部
２０ｄ  ＬＡＮ伝送部
２０ｅ  ＴＣＲ向け伝送部
２０ｆ  ポートモード切替要求処理部
２０ｇ  ポートモード切替条件作成部
２１  親局（ＴＣＭ（Ｂ））
３６  送信有効データチェック手段
３７  ポートモード切替要求手段
３８  ポートモード切替手段
３９  ポートモード通知手段
４０  ポートモードファイル
４１  ポートモード切替条件ファイル
４２  負荷予測データファイル
４３  ポートモード切替条件作成手段
４４  負荷予測データ作成手段
４７  負荷状態履歴データファイル
４８  障害情報ファイル
４９  負荷状態履歴データ作成手段
５０  障害監視手段
５１  ＣＣＳ切替手段
５３  ホストＣＰＵモード情報監視手段
５４  ホストＣＰＵモード情報ファイル
５５  ポートモード条件作成テーブル
【図１】
0003742714.tif 000002
【図２】
0003742714.tif 000003
【図３】
0003742714.tif 000004
【図４】
0003742714.tif 000005
【図５】
0003742714.tif 000006
【図６】
0003742714.tif 000007
【図７】
0003742714.tif 000008
【図８】
0003742714.tif 000009
【図９】
0003742714.tif 000010
【図１０】
0003742714.tif 000011
【図１１】
0003742714.tif 000012
【図１２】
0003742714.tif 000013
【図１３】
0003742714.tif 000014
【図１４】
0003742714.tif 000015